(57)【要約】【課題】  従来の外壁修繕工事方法では、建物の側面周囲に仮設足場を周設するため、修繕作業期間中、建物の側面周囲は、仮設足場の周囲に設けられたシートで覆われる。【解決手段】  建物１のベランダや大きな窓を有する１の側面１ａ周囲にのみ、複数の単管を用いて作業者が乗る足場２ａを組み上げる。この組み上げた足場２ａの周囲をシートで囲んで、外壁塗料などの飛散を防止しながら、１の側面１ａのみに対して外壁修繕作業を集中して行う。１の側面１ａの外壁修繕作業を終えた後、１の側面１ａ周囲のシートを取り外して、組み上げた足場２ａを解体する。その後、建物１の残りの３つの側面１ｂ〜１ｄ周囲に足場２ｂ〜２ｄを組み上げる。この組み上げた足場２ｂ〜２ｄの周囲をシートで囲んで外壁修繕作業を行う。残りの側面１ｂ〜１ｄの外壁修繕作業を終えた後は、これら側面１ｂ〜１ｄ周囲のシートを取り外して組み上げた足場２ｂ〜２ｄを解体する。【選択図】  図１
2010203183.tif 000002
【特許請求の範囲】
【請求項１】
建物の側面周囲に作業者が乗る足場を組み上げ、組み上げた足場の周囲をシートで囲んで外壁修繕作業を行う外壁修繕工事方法において、
建物の１の側面周囲にのみ足場を組み上げ、この組み上げた足場の周囲をシートで囲んで外壁修繕作業を行い、前記１の側面の外壁修繕作業を終えた後に前記１の側面周囲のシートを取り外して組み上げた足場を解体する工程と、建物の残りの側面周囲に足場を組み上げ、この組み上げた足場の周囲をシートで囲んで外壁修繕作業を行う工程とを分けて行うことを特徴とする外壁修繕工事方法。
【請求項２】
建物の側面周囲に組み上げられた作業者が乗る足場の周囲を囲むシートの上辺部を地面に水平な方向に案内するガイド部材と、このガイド部材に沿って移動自在に取り付けられて前記シートの上辺部を前記ガイド部材に吊る吊り下げ部材とを備えて構成される外壁修繕工事における足場へのシート敷設構造。
【発明の詳細な説明】
【技術分野】
【０００１】
本発明は、建物の側面周囲に足場を組み上げ、この組み上げた足場の周囲をシートで囲んで外壁修繕作業を行う外壁修繕工事方法、および、外壁修繕工事における足場へのシート敷設構造に関するものである。
【背景技術】
【０００２】
従来、この種の外壁修繕工事方法としては、例えば、特許文献１に開示された従来から一般的に行われている外壁修繕工事方法がある。この従来からの外壁修繕工事方法では、建物の周囲に工事用の仮設足場を周設してから、外壁修繕工事を実施する。外壁修繕工事を終了させた後には、建物の周囲に周設した仮設足場を解体する。また、このような外壁修繕工事で用いられる仮設足場の周囲には、一般的にシートが設けられ、外壁修繕工事に用いられる外壁塗料などの飛散が防止される。
【先行技術文献】
【特許文献】
【０００３】
【特許文献１】特開２００９−２４３４０号公報（段落［０００２］参照）
【発明の概要】
【発明が解決しようとする課題】
【０００４】
しかしながら、上記従来の外壁修繕工事方法では、建物の側面周囲に仮設足場を周設するため、修繕作業期間中、建物の側面周囲は、仮設足場の周囲に設けられたシートで覆われる。このため、シートによって建物の室内に入射する日光が遮られると共に、室内の風通しも悪くなる。また、外壁塗料などの臭いが室内に篭りやすくなる。また、覆われたシートにより、居住者は圧迫感を受けながらの生活を強いられる。さらに、シートの内側は外側から視認し難いため、不審者が仮設足場を伝ってベランダなどから建物内に侵入し易く、防犯面からも好ましくなかった。従って、外壁修繕工事を行っている期間中、建物内で生活をする居住者は、安全で快適な生活を送ることが出来なかった。
【課題を解決するための手段】
【０００５】
本発明はこのような課題を解決するためになされたもので、
建物の側面周囲に作業者が乗る足場を組み上げ、組み上げた足場の周囲をシートで囲んで外壁修繕作業を行う外壁修繕工事方法において、
建物の１の側面周囲にのみ足場を組み上げ、この組み上げた足場の周囲をシートで囲んで外壁修繕作業を行い、１の側面の外壁修繕作業を終えた後に１の側面周囲のシートを取り外して組み上げた足場を解体する工程と、建物の残りの側面周囲に足場を組み上げ、この組み上げた足場の周囲をシートで囲んで外壁修繕作業を行う工程とを分けて行うことを特徴とする。
【０００６】
この方法によれば、建物の１の側面についてのみ外壁修繕作業を集中して行うことにより、１の側面の外壁修繕作業を短期間で終了させることができる。このため、例えば、ベランダや大きな窓を有する１の側面のみに対して外壁修繕作業を集中的に行うことにより、室内に入射する日光が遮られる期間や室内の風通しが悪くなる期間を短くすることができると共に、不審者が足場を伝ってベランダなどから建物内に侵入し易くなる期間も短くすることができる。また、覆われたシートにより居住者が圧迫感を受けながら生活をする期間も、最小限にすることが可能になる。この結果、居住者が安全で快適な生活を送ることが可能な外壁修繕工事方法が提供される。
【０００７】
また、本発明は、建物の側面周囲に組み上げられた作業者が乗る足場の周囲を囲むシートの上辺部を地面に水平な方向に案内するガイド部材と、このガイド部材に沿って移動自在に取り付けられてシートの上辺部をガイド部材に吊る吊り下げ部材とを備えて、外壁修繕工事における足場へのシート敷設構造を構成した。
【０００８】
この構成によれば、作業者が乗る足場の周囲を囲むシートは、吊り下げ部材に吊り下げた状態でその上辺部がガイド部材に沿って移動させられる。従って、外壁修繕作業が行われない夜間や週末にシートの上辺部を移動させてシートをたたむことにより、ベランダや大きな窓を有する建物の側面が開放され、建物の側面周囲が常時シートで覆われた状態でなくなる。このため、外壁修繕作業期間中であっても、室内に入射する日光が遮られず、また、室内の風通しが悪くならない時間が確保される。さらに、足場が設けられていても、シートをたたむことによってシートの内側に隠れた状態で不審者が足場を移動することができなくなるので、不審者は足場を伝ってベランダなどから建物内に侵入し難くなる。また、建物の側面周囲が常時シートによって覆われることがなくなるため、居住者が圧迫感を受けながら生活をする時間を最小限にすることが可能になる。この結果、居住者が安全で快適な生活を送ることが可能なシート敷設構造が提供される。
【発明の効果】
【０００９】
本発明による外壁修繕工事方法およびシート敷設構造によれば、上記のように、外壁修繕作業を行っている建物内で生活をしていても、安全で快適な生活を送ることが可能になる。
【図面の簡単な説明】
【００１０】
【図１】本発明の一実施形態の外壁修繕工事方法を用いた外壁修繕工事における建物の平面図である。
【図２】本発明の第１の実施形態のシート敷設構造によって足場の周囲をシートで囲んだ状態を示す正面図である。
【図３】図２に示すシート敷設構造の右側面図である。
【図４】第１の実施形態のシート敷設構造を示す一部拡大図である。
【図５】第１の実施形態のシート敷設構造においてシートをたたんだ状態を示す正面図である。
【図６】本発明の第２の実施形態のシート敷設構造を示す一部拡大図である。
【図７】本発明の第３の実施形態のシート敷設構造を示す一部拡大図である。
【図８】本発明のシート敷設構造の変形例を示す一部拡大図である。
【発明を実施するための形態】
【００１１】
次に、本発明の外壁修繕工事方法を実施するための形態について説明する。
【００１２】
図１は、本実施形態の外壁修繕工事方法を用いた外壁修繕工事における建物の平面図である。
【００１３】
斜線で示す外壁修繕工事を行う建物１は、ＲＣ(Reinforced Concrete)，ＡＬＣ(Autoclaved Light-weight Concrete)，鉄骨造り等の集合住宅やビルのような建物である。本実施形態の外壁修繕工事方法を用いた外壁修繕工事では、まず最初に、建物１のベランダや大きな窓を有する１の側面１ａ周囲にのみ、複数の単管を用いて作業者が乗る足場２ａを組み上げる。この足場２ａは、１の側面１ａの壁面に打ち込まれたアンカに、足場２ａとつながる複数の固定部材３が連結させられることにより、建物１の１の側面１ａに固定される。そして、この組み上げた足場２ａの周囲を図示しないシートで囲んで、外壁塗料などの飛散を防止しながら、１の側面１ａのみに対して外壁修繕作業を集中して行う。１の側面１ａの外壁修繕作業を終えた後、１の側面１ａ周囲のシートを取り外して、組み上げた足場２ａを解体する。
【００１４】
その後、建物１の残りの３つの側面１ｂ，１ｃ，１ｄ周囲に足場２ｂ，２ｃ，２ｄを組み上げる。これら足場２ｂ，２ｃ，２ｄも足場２ａと同様に、側面１ｂ，１ｃ，１ｄの壁面に打ち込まれたアンカに、足場２ｂ，２ｃ，２ｄとつながる複数の固定部材３が連結されることにより、建物１の残りの３つの側面１ｂ，１ｃ，１ｄに固定される。そして、この組み上げた足場２ｂ，２ｃ，２ｄの周囲を図示しないシートで囲んで外壁修繕作業を行う。残りの側面１ｂ，１ｃ，１ｄの外壁修繕作業を終えた後、これら側面１ｂ，１ｃ，１ｄ周囲のシートを取り外して組み上げた足場２ｂ，２ｃ，２ｄを解体し、外壁修繕工事を終了する。
【００１５】
本実施形態の外壁修繕工事方法により、上記のように、建物１の１の側面１ａについてのみ外壁修繕作業を集中して行うことにより、１の側面１ａの外壁修繕作業を短期間で終了させることができる。このため、ベランダや大きな窓を有する１の側面１ａのみに対して外壁修繕作業を集中的に行うことにより、室内に入射する日光が遮られる期間や室内の風通しが悪くなる期間を短くすることができると共に、不審者が足場２ａを伝ってベランダなどから建物１内に侵入し易くなる期間も短くすることができる。また、覆われたシートにより居住者が圧迫感を受けながら生活をする期間も、最小限にすることが可能になる。この結果、居住者は、外壁修繕作業を行っている建物１内で生活をしていても、安全で快適な生活を送ることが可能になる。
【００１６】
なお、上記実施形態では、建物１の１の側面１ａについてのみ外壁修繕作業を行った後に、残りの３つの側面１ｂ，１ｃ，１ｄについて外壁修繕作業を行う場合について説明したが、本発明はこれに限られることはない。例えば、建物１の３つの側面１ｂ，１ｃ，１ｄについて外壁修繕作業を行った後に、残りの１の側面１ａについてのみ外壁修繕作業を行うようにしてもよい。この場合においても、上記実施形態と同様の作用・効果が奏される。
【００１７】
次に、本発明の外壁修繕工事における足場へのシート敷設構造を実施するための第１の実施形態について説明する。
【００１８】
図２は、この第１の実施形態のシート敷設構造によって足場の周囲をシートで囲んだ状態を示す正面図であり、図３は、図２に示すシート敷設構造の右側面図である。
【００１９】
斜線で示すメッシュ状のシート１３，１４は、ＲＣ，ＡＬＣ，鉄骨造り等の集合住宅やビルのような建物１１の側面周囲に組み上げられた作業者が乗る足場１２の周囲を囲み、外壁修繕工事における外壁塗料などの飛散を防止する。シート１３の下部とシート１４の上部の境目から外壁塗料などが周囲に飛散しないように、シート１３の下部とシート１４の上部とは重ね合わされている。
【００２０】
足場１２は、建物１１から所定距離離れた位置に複数の単管を用いて組み上げられ、建物１１の側面に打ち込まれたアンカに、足場１２とつながる複数の固定部材１５が連結されることにより、建物１１の側面に固定される。足場１２の外側には、各シート１３，１４の幅に応じた長さのワイヤー１６，１７が地面に水平に張られている。これらワイヤー１６，１７は、各シート１３，１４の上辺部を地面に水平な方向に案内するガイド部材を構成している。
【００２１】
図４は、第１の実施形態のシート敷設構造を示した一部拡大図である。
【００２２】
ワイヤー１６は、その両端が足場１２を構成する単管１２ａにその両端が結び付けられている。このワイヤー１６には、引掛け部２１ａとピン２１ｂで構成されるシャックル２１が複数個ワイヤー１６に沿って移動自在に取り付けられている。これらシャックル２１は、シート１３の上辺部１３ａに複数設けられた各孔１３ｂ毎にピン２１ｂが挿入されて、シート１３の上辺部１３ａをワイヤー１６に吊る吊り下げ部材を構成している。なお、同図ではシート１３しか図示していないが、シート１４もシート１３と同様の構成でワイヤー１７に移動自在に取り付けられた複数個のシャックル２１により、ワイヤー１７に吊り下げられている。
【００２３】
このような構成において、各シート１３，１４は、作業者が各シート１３，１４を掴みながら足場１２上を水平な方向に移動すると、各シート１３，１４を吊り下げている複数個のシャックル２１が各ワイヤー１６，１７に沿って水平な方向に移動する。作業者は、移動させた各シート１３，１４をたたみ、図５に示すように、紐２２などで単管１２ａに縛り付ける。なお、同図において、図２と同一部分には同一符号を付してその説明は省略する。
【００２４】
この構成によれば、作業者が乗る足場１２の周囲を囲む各シート１３，１４は、上記のように、シャックル２１に吊り下げられた状態でその上辺部１３ａが各ワイヤー１６，１７に沿って移動させられる。従って、外壁修繕作業が行われない夜間や週末に各シート１３，１４の上辺部１３ａを移動させて各シート１３，１４をたたむことにより、ベランダや大きな窓を有する建物１１の側面が開放され、建物１１の側面周囲が常時各シート１３，１４で覆われた状態でなくなる。このため、外壁修繕作業期間中であっても、室内に入射する日光が遮られず、また、室内の風通しが悪くならない時間が確保される。さらに、足場１２が設けられていても、各シート１３，１４をたたむことによって各シート１３，１４の内側に隠れた状態で不審者が足場１２を移動することができなくなるので、不審者は足場１２を伝ってベランダなどから建物１１内に侵入し難くなる。また、建物１１の側面周囲が常時各シート１３，１４によって覆われることがなくなるため、居住者が圧迫感を受けながら生活をする時間を最小限にすることが可能になる。この結果、居住者が安全で快適な生活を送ることが可能なシート敷設構造が提供される。
【００２５】
次に、本発明の外壁修繕工事における足場へのシート敷設構造を実施するための第２の実施形態について説明する。
【００２６】
本実施形態による外壁修繕工事における足場へのシート敷設構造は、図６に示され、上記第１の実施形態の図４に示されるシート敷設構造とほぼ同様の構成を有する。なお、同図において図４と同一または相当する部分には同一符号を付してその説明は省略する。
【００２７】
本実施形態のシート敷設構造は、ワイヤー１６に滑車３１を取り付け、滑車３１の下部に備えられたリング部３１ａにシャックル２１の引掛け部２１ａを引掛けることにより、シート１３をワイヤー１６に吊り下げている。シャックル２１、および滑車３１は、シート１３の上辺部１３ａに設けられた孔１３ｂにピン２１ｂを挿入して、シート１３の上辺部１３ａをワイヤー１６に吊る吊り下げ部材を構成している。
【００２８】
なお、同図では、シャックル２１、および滑車３１が１個しか示されていないが、吊り下げ部材は、上記第１の実施形態と同様に複数個設けられている。また、本実施形態でも、シート１４もシート１３と同様の構成でワイヤー１７に移動自在に取り付けられた複数個のシャックル２１、および滑車３１により、ワイヤー１７に吊り下げられている。
【００２９】
このような第２の実施形態によるシート敷設構造では、上記第１の実施形態のシート敷設構造と同様の作用・効果が奏されると共に、滑車３１がワイヤー１６上を移動することにより、作業者は、第１の実施形態と比べて、シート１３，１４を滑らかに移動させることができる。このため、作業者は、足場１２上を水平な方向に移動することなく、シート１３を手繰り寄せてたたみ、紐２２で単管１２ａに縛り付けることができる。この結果、シート１３，１４を開閉する際の作業性を向上することができる。
【００３０】
次に、本発明の外壁修繕工事における足場へのシート敷設構造を実施するための第３の実施形態について説明する。
【００３１】
本実施形態による外壁修繕工事における足場へのシート敷設構造は、図７に示され、上記第１実施形態の図４に示されるシート敷設構造とほぼ同様の構成を有する。なお、同図において図４と同一または相当する部分には同一符号を付してその説明は省略する。
【００３２】
本実施形態のシート敷設構造は、低部に一定幅のスリットを設けた金属製または樹脂製のレール４１を、取り付け具４２を用いて単管１２ａに取り付ける。レール４１は、低部に内側に折り曲げられた折り曲げ部４１ａ，４１ａを有している。レール４１の内部には移動部材４３が挿入されており、この移動部材４３が有する車輪４３ａ，４３ａは、車輪４３ａ，４３ａの内側が折り曲げ部４１ａ，４１ａによってガイドされながら、レール４１の低部に設けられたスリットに沿って移動する。
【００３３】
また、移動部材４３の車輪４３ａと車輪４３ａとを繋ぐシャフト４３ｂの中間部には、レール４１のスリットからレール４１の外部に露出するリング部４４が設けられている。本実施形態では、このリング部４４にシャックル２１の引掛け部２１ａを引掛けることにより、シート１３をレール４１に吊り下げている。レール４１は、シート１３の上辺部１３ａを地面に水平な方向に案内するガイド部材を構成し、シャックル２１、移動部材４３、およびリング部４４は、シート１３の上辺部１３ａに設けられた孔１３ｂにピン２１ｂを挿入して、シート１３の上辺部１３ａをワイヤー１６に吊る吊り下げ部材を構成している。なお、同図において、レール４１の形状は矩形状をしているが、レール４１の形状は円形状などであってもよい。また、シート１４もシート１３と同様の構成で、レール４１に吊り下げられている。
【００３４】
このような第３の実施形態によるシート敷設構造では、上記第１の実施形態のシート敷設構造と同様の作用・効果が奏されると共に、ガイド部材が金属製または樹脂製のレール４１で構成されているため、風によってシート１３，１４が揺れたとしても、第１および第２の実施形態のワイヤー１６，１７からなるガイド部材のように、ガイド部材が振れることがなくなる。この結果、作業者は、強風が吹きつけられる集合住宅やビルなどの高層部でもシート１３，１４の移動が容易に行える。
【００３５】
なお、上記第１および第２の実施形態ではワイヤー１６，１７を、第３の実施形態ではレール４１をそれぞれガイド部材として用いる構成について説明したが、本発明はこれに限られることはない。例えば、図８に示すように、足場１２を構成する単管１２ａ自体を、シート１３の上辺部１３ａを地面に水平な方向に案内するガイド部材として用いる構成にしてもよい。なお、同図において図４と同一または相当する部分には同一符号を付してその説明は省略する。この構成では、複数個の吊り輪５２を単管１２ａに通し、各吊り輪５２の下部に設けられた孔５２ａとシート１３の上辺部１３ａに設けられた孔１３ｂとを連結リング５３で連結し、シート１３を吊り下げる。ここでは、吊り輪５２および連結リング５３が、シート１３の上辺部１３ａを単管１２ａに吊る吊り下げ部材を構成している。
【００３６】
この構成においても、上記第１の実施形態のシート敷設構造と同様の作用・効果が奏される。また、足場１２を構成する単管１２ａでガイド部材が構成されているため、上記の各実施形態のようにワイヤー１６，１７やレール４１を別途用意する必要がない。このため、安価にシート敷設構造を構成することが可能になる。
【産業上の利用可能性】
【００３７】
上記の各実施形態においては、本発明による外壁修繕工事方法および外壁修繕工事における足場１２へのシート敷設構造を集合住宅やビルなどの建物１，１１に適用した場合を説明したが、本発明はこれに限られるものではない。例えば、一戸建てといった建物に本発明を適用することも可能である。
【符号の説明】
【００３８】
１，１１…建物
２ａ，２ｂ，２ｃ，２ｄ，１２…足場
１２ａ…単管
１３，１４…シート
１３ａ…シートの上辺部
１６，１７…ワイヤー
２１…シャックル
２１ａ…引掛け部
２１ｂ…ピン
３１…滑車
３１ａ…リング部
４１…レール
４３…移動部材
４４…リング部
５２…吊り輪
５３…連結リング
【図１】
2010203183.tif 000003
【図２】
2010203183.tif 000004
【図３】
2010203183.tif 000005
【図４】
2010203183.tif 000006
【図５】
2010203183.tif 000007
【図６】
2010203183.tif 000008
【図７】
2010203183.tif 000009
【図８】
2010203183.tif 000010